(57)【要約】【課題】充電コネクターをホルダー本体に保持した状態を確実かつ簡易にロック（施錠）し、このロック状態を確実かつ簡便に解除（解錠）する。【解決手段】ホルダーＨは、ロック部材４１、ばね部材４２及び電気作動式の駆動部４３からなる電気錠４を備え、この電気錠４によりフック９３とフック・コネクター係合部３との係合状態をロックし、ロックを解除する。【選択図】図５
2015119518.tif 000002
【特許請求の範囲】
【請求項１】
電動車両の充電口に接続するための充電コネクターの給電嵌合部を接続可能なコネクター保持部と、充電コネクターの給電嵌合部の周囲に近接して電動車両の充電口のフック係合部に係合させるために配設され、常態としてばねにより前記給電嵌合部の外周面に向けて付勢されて、充電コネクターに具備する解除ボタンの操作により前記給電嵌合部の外周面から離れる方向に移動可能な形式のフックと係合可能なフック・コネクター係合部とを備え、充電コネクターの前記給電嵌合部を前記コネクター保持部に合わせるとともに、前記フックと前記フック・コネクター係合部とを対応させて、充電コネクターを前記コネクター保持部に押し込み挿入することにより、充電コネクターの前記給電嵌合部を前記コネクター保持部に接続し、前記フックと前記フック・コネクター係合部とを係合させて、充電コネクターを保持する充電コネクター用ホルダーにおいて、
前記フックと前記フック・コネクター係合部との係合状態をロックする電気錠を備え、
前記電気錠は、
前記フック・コネクター係合部の近傍で前記フックの先端に対向する位置に前記フック・コネクター係合部上に進退可能に配置され、前記フックと前記フック・コネクター係合部との係合状態で前記フックを前記フック・コネクター係合部から離脱方向への動きを規制するロック位置で押え込み可能なロック部材と、
前記ロック部材を常態として前進方向に押圧付勢して前記ロック部材を前記ロック位置に位置決めするばね部材と、
前記ロック部材を前記ロック位置から後退駆動する電気作動式の駆動部と、
を備え、
充電コネクターの前記給電嵌合部を前記コネクター保持部に合わせるとともに、前記フックと前記フック・コネクター係合部とを対応させて、充電コネクターを、前記フックで前記ロック部材を前記ばね部材の付勢力に抗して押し込みながら、前記コネクター保持部に押し込み挿入することにより、充電コネクターの前記給電嵌合部を前記コネクター保持部に接続し、前記フックと前記フック・コネクター係合部とを係合させるとともに、前記フックを前記ロック位置に弾性復帰される前記ロック部材により押え込みロックし、
任意の制御手段により前記電気作動式の駆動部に電気信号を送ることにより当該駆動部を作動させて、前記ロック部材を前記ロック位置から後退し、前記フックのロックを解除する、
ことを特徴とする充電コネクター用ホルダー。
【請求項２】
ロック部材はフックを押え込み可能なシャフト又はプレートからなり、ばね部材にコイルスプリングが採用され、フック・コネクター係合部の近傍に設けられたロック部材取付部に前記ロック部材が前記ばね部材を介してフックのロック位置に進退可能に組み立てられる請求項１に記載の充電コネクター用ホルダー。
【請求項３】
電気作動式の駆動部は、ロック部材の周囲に配設されるソレノイドと、前記ロック部材と前記ソレノイドとの間に前記ロック部材の進退方向に回動可能に軸支され、一端が前記ソレノイドのプランジャに枢支され、他端が前記ロック部材に係合される作動レバーとを有し、ばね部材の付勢力によりフックのロック位置に位置決めされる前記ロック部材に対して作動連結されて、前記ソレノイドの通電により前記プランジャを吸引することにより前記レバーを前記ロック部材の後退方向に回動し、前記ロック部材を後退させる請求項１又は２に記載の充電コネクター用ホルダー。
【請求項４】
コネクター保持部と並列に非常用のロック解除ユニットが併設され、前記ロック解除ユニットは、一端の鍵穴に鍵を挿入してローターを回転する形式のシリンダー錠と、前記ローターに取り付けられ、前記ローターの回転に連動して電気作動式の駆動部の作動レバーに係脱可能なロック解除レバーとからなり、前記ロック解除レバーは電気作動式の駆動部の作動レバーに係合せず、ロック部材によるフックのロック状態を維持するロック位置と、前記作動レバーに係合し、当該作動レバーを前記ロック部材が後退される方向に押圧回動して、前記ロック部材による前記フックのロック状態を解除するロック解除位置との間で回動される請求項３に記載の充電コネクター用ホルダー。
【請求項５】
コネクター保持部の近傍に、前記コネクター保持部に充電コネクターの給電嵌合部が正規の位置に挿入された状態を検知するコネクター正規位置検知センサーを併せて備える請求項１乃至３のいずれかに記載の充電コネクター用ホルダー。
【請求項６】
コネクター正規位置検知センサーは、コネクター保持部の内部で充電コネクターの給電嵌合部の先端を到達させる正規の挿入位置に当該正規の挿入位置から充電コネクターの挿入方向とは反対方向の所定の範囲に設定した検出開始点まで進退可能に配置され、前記コネクター保持部に挿入される前記給電嵌合部の縁部で押圧可能な検出部材と、前記検出部材を常態として充電コネクターの挿入方向とは反対方向に押圧付勢し前記検出開始点に位置決めするばね部材と、前記給電嵌合部の前記コネクター保持部への挿入により前記給電嵌合部の縁部で前記検出部材が前記正規の挿入位置まで押圧され、前記検出部材の変位により作動されるマイクロスイッチとを備える請求項５に記載の充電コネクター用ホルダー。
【請求項７】
コネクター保持部、フック・コネクター係合部、ロック部材は共通の取付プレート上に組み立てられて、前面を化粧板で覆うボックス形のハウジング内に組み込まれ、前記化粧板は前面から後面に向けて、略茄子形に開口され、下方傾斜で手前から奥側に向けて漸次狭められる略テーパー状の凹部を備え、その奥側面に開口部を形成されて、前記開口部内又は前記開口部の奥にコネクター保持部、フック・コネクター係合部、及びロック部材が配置される請求項１乃至６のいずれかに記載の充電コネクター用ホルダー。
【発明の詳細な説明】
【技術分野】
【０００１】
本発明は、電源からの充電ケーブルの先端に設けられて、電気自動車（ＥＶ）やプラグインハイブリッドカー（ＰＨＶ）などの電動車両の車載電池の充電に使用する充電コネクターを、充電装置の周囲や建物、塀の壁面など充電コネクターの設置面に保持するのに用いる充電コネクター用ホルダーに関する。
【背景技術】
【０００２】
近年、電気自動車やプラグインハイブリッドカーなどの電動機を動力源とする電動車両の普及が進む中、これらの電動車両に電気を供給するために、公道沿いの公共の空間や民間事業者の施設内などに充電装置を置く給電ステーション（充電スタンドとも言う。）が整備されつつあり、また、一般住宅やマンションの駐車場などでも充電装置が併設されつつある。この種の充電装置は、充電装置本体と、この本体に接続される充電ケーブルと、充電ケーブルの先端に装着される充電コネクターとを備え、充電コネクターを各種電動車両に設けられる充電口に接続して充電するようになっている。
図１０に一般的な充電コネクターの概要を示している。図１０に示すように、充電コネクター９は、略円柱状のボディ９０、及びボディ９０の軸方向一端側から軸方向に沿って突出され、先端の開口面に複数極の端子を配置された円筒状の給電嵌合部９１と、ボディ９０の軸方向他端側から斜めに延びるグリップ９２とを一体に備え、全体としてガン型に構成され、給電嵌合部９１を電動車両の充電口に設けられたインレットに差し込むことで、電動車両の車載電池に電気的に接続されるようになっている。また、この充電コネクター９と電動車両の充電口とを機械的に接続するために、ボディ９０の軸方向一端側には、給電嵌合部９１の外側に、電動車両側の充電口に設けられたフック係合部に係合されて、充電コネクター９と電動車両側の充電口との接続状態を保持するフック９３が設けられる。このフック９３は先端に給電嵌合部９１の外周面に向けて突出する爪９３１を有し、このフック９３の先端側が爪９３１の突出方向において進退自在に構成され、この爪９３１が常態としてバネ９４の付勢力によって給電嵌合部９１側に押し付けられるようになっている。そして、このフック９３の基端側のボディ９０に、フック９３による押し付け状態を解除するための解除ボタン９５が設けられ、ユーザーが解除ボタン９５を押すと、バネ９４の付勢力に抗してフック９３が給電嵌合部９１の外周面から離れる方向に移動し、電動車両側の充電口のフック係合部と爪９３１との係止状態が解除されるようになっている。また、この充電コネクターの場合、給電嵌合部９１の下部に電動車両の充電口にガイドとして形成された凹部に係合可能な凸部９６が軸方向に向けて設けられる。なお、充電コネクター９のグリップ９２の下端側には充電ケーブルＣが接続される。充電ケーブルＣは、電力を給電するための給電ケーブルと制御信号を入出力するための通信ケーブルとからなり、その基端部は、充電装置の場合、充電装置の電源部に接続され、一般家庭の電源を用いる場合は、電源コンセントに接続できるようにプラグが装着される。
【０００３】
ところで、給電ステーションの場合でも一般家庭の場合でも、充電装置を使用しない間は、充電装置の周囲や建物、塀の壁面などで人の手の届く高さの範囲に充電コネクターを給電嵌合部を保護して保持し、また、充電ケーブルを巻き掛るためのホルダーが必要となる。
【０００４】
この種の充電コネクター用ホルダーが例えば特許文献１により提案されている。
この文献１の充電コネクター用ホルターは、充電装置本体に固定ねじを用いて固定されるベースと、ベースの前面側に取り付けられるホルダー本体とを備え、全体として上下方向に長い略箱状に形成される。ホルダー本体の上部には充電ケーブルを掛け回すための凹部が設けられ、ホルダー本体の下部前側の角には斜めに傾斜するテーパー部が設けられて、テーパー部には、充電コネクターの嵌合部（給電嵌合部）が差し込み接続される保持部（コネクター保持部）が設けられる。この場合、保持部は、略円形の底部と、この底部の周部から底部と直交する方向に突出する側部とにより丸穴状に形成され、テーパー部に開口している。また、保持部の内径は充電コネクターの嵌合部の外径よりも若干大きく、下斜め前方に開口しており、この保持部に下側から嵌合部が差込接続されるようになっている。また、ホルダー本体の前面において保持部の上側には充電コネクターのフックが挿入される凹部が設けられ、この凹部の内側にはフックの爪が係止可能な突起が設けられる。また、ホルダー本体の前面において凹部よりも上側には、下側ほど前方への突出量が大きくなるように斜めに傾斜するフードが一体に設けられており、雨水などが凹部や保持部に入り込みにくくなっている。
このようにしてホルダー本体は充電装置の周囲にベースを介して複数のねじにより取り付けられる。そして、充電コネクターをホルダー本体に保持するときは、充電コネクターの嵌合部をホルダー本体の保持部に挿入し押し込む。これによりフックが凹部内に挿入されフックの掛止爪が凹部内の突起に係止されて、充電コネクターがホルダー本体に固定保持される。充電ケーブルはホルダー本体の上から上部の凹部に巻き掛けておく。充電コネクターをホルダー本体から取り外す場合は、解除ボタンを押下することでフックと凹部の突起との係合が外れるので、この状態で充電コネクターを保持部から引き抜けばよい。
【０００５】
また、このホルダーの場合、ホルダー本体の前面に３桁のダイアル鍵を有する円盤状の摘みが設けられている。この摘みの回転軸には長尺の板金からなる規制片がネジ止めされ、この規制片の先端に樹脂製のカバーが取り付けられる。ダイアル鍵の３桁の数字が所定の番号に一致していれば、摘みを回転させることができ、摘みを正転又は逆転させると、規制片が正転又は逆転する。規制片は所定の施錠位置と解除位置との間で回転自在となっている。このようにして、ユーザーが充電コネクターをホルダー本体に挿入した後、摘みを回し規制片を所定の規制位置に移動させて、ダイアル鍵を用いて施錠すると、充電コネクターのフックが規制片先端のカバーに当たって突起から離れる方向に移動できなくなり、充電コネクターがホルダー本体に保持された状態でロックされる。このロック状態においてユーザーがダイアル鍵を操作してロックを解除すると、摘みの回転が可能になり、ロック解除後にユーザーが摘みを回して、規制片を解除位置に移動させると、充電コネクターの解除ボタンを押すことによってフックを突起から離れる方向へ移動させることができ、充電コネクターをホルダー本体から取り外すことができる。
【先行技術文献】
【特許文献】
【０００６】
【特許文献１】特願２０１３−９３９１８号
【発明の概要】
【発明が解決しようとする課題】
【０００７】
この種の充電コネクター用ホルダーは、既述のとおり、充電装置（本体）の周囲や建物、塀の壁面などに取り付けられて、充電装置の待機状態、つまり、充電装置を使用しないときに、充電コネクターの給電嵌合部を保護しつつ保持するため、また、充電ケーブルを巻き掛け整理整頓するために使用される。この場合、充電コネクターが、特に急速式の充電装置の場合、数十キロワットの出力を有し、直流で数百アンペア、数百ボルトが流れるために、充電装置の待機状態では、充電コネクターがホルダー本体に確実に保持されることは勿論のこと、さらに、充電コネクターのいたずらや不正な使用を防ぎ、充電コネクターの損傷を防止する観点から、また、充電コネクターの先端は電極が露出されているため、充電コネクターが放置されないように、安全上の観点からも、充電コネクターがホルダー本体に保持されている状態がロック（施錠）されることが望ましい。
しかしながら、上記従来の充電コネクター用ホルダーのようなダイヤル錠では、また鍵を用いる通常のシリンダー錠であっても、不特定多数のユーザーが利用する給電ステーションの充電装置や多くのユーザーに利用されるマンション駐車場の充電装置で使用するには、暗証番号や鍵の管理が困難で実用的にも不向きであり、また、このような手動式の錠前ユニットでは充電装置に課金システムを導入する場合に併用できない、という問題がある。
【０００８】
本発明は、このような従来の問題を解決するもので、この種の充電コネクター用ホルダーにおいて、不特定多数のユーザーが利用する給電ステーションの充電装置や多くのユーザーに利用されるマンション駐車場の充電装置などでの使用に最適な錠形式で、充電コネクターをホルダー本体に保持した状態を確実かつ簡易にロック（施錠）し、このロック状態を確実かつ簡便に解除（解錠）し得る錠ユニットを備えること、併せて、この錠形式を充電装置に課金システムを導入する場合に併用できるようにすること、を目的とする。
【課題を解決するための手段】
【０００９】
上記目的を達成するために、本発明は、
電動車両の充電口に接続するための充電コネクターの給電嵌合部を接続可能なコネクター保持部と、充電コネクターの給電嵌合部の周囲に近接して電動車両の充電口のフック係合部に係合させるために配設され、常態としてばねにより前記給電嵌合部の外周面に向けて付勢されて、充電コネクターに具備する解除ボタンの操作により前記給電嵌合部の外周面から離れる方向に移動可能な形式のフックと係合可能なフック・コネクター係合部とを備え、充電コネクターの前記給電嵌合部を前記コネクター保持部に合わせるとともに、前記フックと前記フック・コネクター係合部とを対応させて、充電コネクターを前記コネクター保持部に押し込み挿入することにより、充電コネクターの前記給電嵌合部を前記コネクター保持部に接続し、前記フックと前記フック・コネクター係合部とを係合させて、充電コネクターを保持する充電コネクター用ホルダーにおいて、
前記フックと前記フック・コネクター係合部との係合状態をロックする電気錠を備え、
前記電気錠は、
前記フック・コネクター係合部の近傍で前記フックの先端に対向する位置に前記フック・コネクター係合部上に進退可能に配置され、前記フックと前記フック・コネクター係合部との係合状態で前記フックを前記フック・コネクター係合部から離脱方向への動きを規制するロック位置で押え込み可能なロック部材と、
前記ロック部材を常態として前進方向に押圧付勢して前記ロック部材を前記ロック位置に位置決めするばね部材と、
前記ロック部材を前記ロック位置から後退駆動する電気作動式の駆動部と、
を備え、
充電コネクターの前記給電嵌合部を前記コネクター保持部に合わせるとともに、前記フックと前記フック・コネクター係合部とを対応させて、充電コネクターを、前記フックで前記ロック部材を前記ばね部材の付勢力に抗して押し込みながら、前記コネクター保持部に押し込み挿入することにより、充電コネクターの前記給電嵌合部を前記コネクター保持部に接続し、前記フックと前記フック・コネクター係合部とを係合させるとともに、前記フックを前記ロック位置に弾性復帰される前記ロック部材により押え込みロックし、
任意の制御手段により前記電気作動式の駆動部に電気信号を送ることにより当該駆動部を作動させて、前記ロック部材を前記ロック位置から後退し、前記フックのロックを解除する、
ことを要旨とする。
【００１０】
また、このホルダーは各部に次のような構成を備えることが好ましい。
（１）ロック部材はフックを押え込み可能なシャフト又はプレートからなり、ばね部材にコイルスプリングが採用され、フック・コネクター係合部の近傍に設けられたロック部材取付部に前記ロック部材が前記ばね部材を介してフックのロック位置に進退可能に組み立てられる。
（２）電気作動式の駆動部は、ロック部材の周囲に配設されるソレノイドと、前記ロック部材と前記ソレノイドとの間に前記ロック部材の進退方向に回動可能に軸支され、一端が前記ソレノイドのプランジャに枢支され、他端が前記ロック部材に係合される作動レバーとを有し、ばね部材の付勢力によりフックのロック位置に位置決めされる前記ロック部材に対して作動連結されて、前記ソレノイドの通電により前記プランジャを吸引することにより前記レバーを前記ロック部材の後退方向に回動し、前記ロック部材を後退させる。
（３）コネクター保持部と並列に非常用のロック解除ユニットが併設され、前記ロック解除ユニットは、一端の鍵穴に鍵を挿入してローターを回転する形式のシリンダー錠と、前記ローターに取り付けられ、前記ローターの回転に連動して電気作動式の駆動部の作動レバーに係脱可能なロック解除レバーとからなり、前記ロック解除レバーは電気作動式の駆動部の作動レバーに係合せず、ロック部材によるフックのロック状態を維持するロック位置と、前記作動レバーに係合し、当該作動レバーを前記ロック部材が後退される方向に押圧回動して、前記ロック部材による前記フックのロック状態を解除するロック解除位置との間で回動される。
（４）コネクター保持部の近傍に、前記コネクター保持部に充電コネクターの給電嵌合部が正規の位置に挿入された状態を検知するコネクター正規位置検知センサーを併せて備える。
（５）コネクター正規位置検知センサーは、コネクター保持部の内部で充電コネクターの給電嵌合部の先端を到達させる正規の挿入位置に当該正規の挿入位置から充電コネクターの挿入方向とは反対方向の所定の範囲に設定した検出開始点まで進退可能に配置され、前記コネクター保持部に挿入される前記給電嵌合部の縁部で押圧可能な検出部材と、前記検出部材を常態として充電コネクターの挿入方向とは反対方向に押圧付勢し前記検出開始点に位置決めするばね部材と、前記給電嵌合部の前記コネクター保持部への挿入により前記給電嵌合部の縁部で前記検出部材が前記正規の挿入位置まで押圧され、前記検出部材の変位により作動されるマイクロスイッチとを備える請求項５に記載の充電コネクター用ホルダー。
（６）コネクター保持部、フック・コネクター係合部、ロック部材は共通の取付プレート上に組み立てられて、前面を化粧板で覆うボックス形のハウジング内に組み込まれ、前記化粧板は前面から後面に向けて、略茄子形に開口され、下方傾斜で手前から奥側に向けて漸次狭められる略テーパー状の凹部を備え、その奥側面に開口部を形成されて、前記開口部内又は前記開口部の奥にコネクター保持部、フック・コネクター係合部、及びロック部材が配置される。
【発明の効果】
【００１１】
本発明の充電コネクター用ホルダーによれば、上記の構成により、次のような本発明独自の格別な効果を奏する。
すなわち、充電コネクターの給電嵌合部をコネクター保持部に合わせるとともに、フックとフック・コネクター係合部とを対応させて、充電コネクターを、フックでロック部材をばね部材の付勢力に抗して押し込みながら、コネクター保持部に押し込み挿入することにより、充電コネクターの給電嵌合部をコネクター保持部に接続し、フックと前記フック・コネクター係合部とを係合させるとともに、フックをロック位置に弾性復帰されるロック部材により押え込みロックするようにしたので、充電コネクターをこのホルダーに挿入し押し込むだけの通常の操作で、充電コネクターをこのホルダーに保持し、この保持した状態を自動的にロックすることができ、不特定多数のユーザーが利用する給電ステーションの充電装置や多くのユーザーに利用されるマンション駐車場の充電装置などでの使用に最適な錠形式で、充電コネクターをこのホルダーに保持した状態を確実かつ簡易にロック（施錠）することができる。
また、任意の制御手段により電気作動式の駆動部に電気信号を送ることにより当該駆動部を作動させて、ロック部材をロック位置から後退し、フックのロックを解除するようにしたので、例えば、制御手段側に、接触式又は非接触式のＩＣカードなどをカードリーダーで読み取ることで、又はスマートフォンなどの携帯端末の機能を用いて、電気信号を電気作動式の駆動部に送るようにすることにより、接触式又は非接触式のＩＣカードやスマートフォンなどを用いた簡単な操作で、充電コネクターとこのホルダーとのロック状態を自動的に解除することができ、充電コネクターを不特定多数のユーザーが利用する給電ステーションの充電装置や多くのユーザーに利用されるマンション駐車場の充電装置などでの使用に最適な錠形式で、充電コネクターとこのホルダーとのロック状態を確実かつ簡便に解除（解錠）することができ、また、接触式又は非接触式のＩＣカードやスマートフォンなどを用いることで、この錠形式を充電装置に課金システムを導入する場合に併用することができる。
【図面の簡単な説明】
【００１２】
【図１】本発明の一実施の形態による充電コネクター用ホルダーの全体構成を示す正面図
【図２】同ホルダーの側面断面図
【図３】同ホルダーの内部構成を示す図（（ａ）は正面図（ｂ）は側面断面図）
【図４】同ホルダーの通常の使用例及びその機能を示す図（充電コネクターを同ホルダーに保持する場合）
【図５】同ホルダーの通常の使用例及びその機能を示す図（同ホルダーに保持された充電コネクターがロックされた状態）
【図６】同ホルダーの通常の使用例及びその機能を示す図（同ホルダーに保持された充電コネクターのロックが解除された状態）
【図７】同ホルダーの通常の使用例及びその機能を示す図（同ホルダーから充電コネクターを取り外す場合）
【図８】同ホルダーの非常時の使用例及びその機能を示す図（同ホルダーに保持された充電コネクターがロックされた状態（ａ）は正面図（ｂ）は一部断面側面図）
【図９】同ホルダーの非常時の使用例及びその機能を示す図（同ホルダーに保持された充電コネクターのロックが解除された状態（ａ）は正面図（ｂ）は一部断面側面図）
【図１０】電気自動車（ＥＶ）やプラグインハイブリッドカー（ＰＨＶ）などの電動車両の車載電池の充電に使用する一般的な充電コネクターを示す図
【発明を実施するための形態】
【００１３】
次に、この発明を実施するための形態について図を用いて説明する。図１、図２に充電コネクター用ホルダーの全体構成を示し、図３にその要部を示している。
なお、充電コネクターの一般的な構成については既に説明したとおりであり、以下の説明の中でに使用される「充電コネクター９の給電嵌合部９１」又は「給電嵌合部９１」は「電気自動車、プラグインハイブリッドカーなどの電動車両の充電口に接続するための充電コネクターの給電嵌合部」をいい、「充電コネクター９のフック９３」又は「フック９３」は「充電コネクターの給電嵌合部の周囲に近接して電動車両の充電口のフック係合部に係合させるために配設され、常態としてばねにより給電嵌合部の外周面に向けて付勢されて、充電コネクターに具備する解除ボタンの操作により給電嵌合部の外周面から離れる方向に移動可能な形式のフック」をいい、「凸部９６」は「給電嵌合部の下部に電動車両の充電口にガイドとして形成された凹部に係合可能な凸部」をいい、必要に応じて、図４乃至図７を参照されたい。
【００１４】
図１、図２に示すように、充電コネクター用ホルダーＨは、このホルダーＨの外形をなし、このホルダーＨの各機能部を組み入れるためのホルダー本体１と、このホルダーＨの機能部として、充電コネクター（９）の給電嵌合部（９１）を接続可能なコネクター保持部２、及び充電コネクター（９）のフック（９３）と係合可能なフック・コネクター係合部３とを備え、充電コネクター（９）の給電嵌合部（９１）をコネクター保持部２に合わせるとともに、フック（９３）とフック・コネクター係合部３とを対応させて、充電コネクター（９）をコネクター保持部２に押し込み挿入することにより、充電コネクター（９）の給電嵌合部（９１）をコネクター保持部２に接続し、フック（９３）とフック・コネクター係合部３とを係合させて、充電コネクター（９）を保持するようになっている。
そして、このホルダーＨでは、新たな機能部として、フック（９３）とフック・コネクター係合部３との係合状態をロックする電気錠４、非常時に電気錠４によるロックを解除できる非常用のロック解除ユニット５、及びコネクター保持部２に充電コネクター（９）の給電嵌合部（９１）が正規の位置に挿入された状態を検知するコネクター正規位置検知センサー６を備える。
これらの機能部２−６は共通の取付ベース７上に組み立てられ、ホルダー本体１内に組み入れられる。
【００１５】
ホルダー本体１は、図１、図２に示すように、縦に長いボックス形で前面に開口１０を有するハウジング１１と、このハウジング１１の前面開口１０を覆う化粧パネル（化粧板）１２と、化粧パネル１２の前方を覆う防水カバー１３とを備える。
この場合、ハウジング１１は、前面開口１０の周囲に外側に向けて断面略Ｌ字形に張り出すフランジ１１１を有し、上部フランジと下部フランジの左右両側にそれぞれ後述する防水カバー１３の取付ボス１３１が挿通可能なボス挿通部１１０が形成される。また、このハウジング１１は下面の奥行が上面の奥行よりも大きく、後面が斜めに形成されて、後面の内面が前面開口１０に対して下方斜めに向けられ、下面は内面が開口側から後面側に向けて上方斜めに形成される。
化粧パネル１２は、ハウジング１１の前面をフランジ１１１を含めて被覆可能に縦に長い矩形の板状に形成され、その下側の半面の略中央に、前面から後面に向けて、略茄子形に開口され、（正面から見て）下方傾斜で手前から奥側に向けて漸次狭められる略テーパー状の凹部１２１を備え、その奥側面（凹部１２１の底面）に開口部１２０が形成されて、この開口部１２０内又はこの開口部１２０の奥に後述するコネクター保持部２、フック・コネクター係合部３、及びロック部材４１が配置されるようになっている。なお、この開口部１２０は上部側が前面の開口１２０Ｂの上部側の一部と重なり、前面の開口１２０Ｂよりも小さい略茄子形に形成され、さらに、この開口部１２０の下部には充電コネクター（９）の給電嵌合部（９１）の下部に形成された凸部（９６）を通すための溝１２２が併せて設けられる。この化粧パネル１２の上部及び下部にはまた、ハウジング１１の各ボス挿通部１１０に対応する位置にそれぞれ後述する防水カバー１３の取付ボス１３１が挿通可能なボス挿通部１２３が形成される。さらに、前面の上部で片側一方にロック解除ユニット５（の鍵穴５０）を臨ませるための開口１２４が円形に形成される。
防水カバー１３は、化粧パネル１２の上部、下部に当接し、ハウジング１１の上部フランジ、下部フランジまで回り込み可能に断面略Ｌ字形に形成され、化粧パネル１２の各ボス挿通部１２３に対応する位置に取付ボス１３１を一体に有する上部カバー部１３２、下部カバー部１３３と、上部カバー部１３２の下縁から前方に向けて下方斜めに延びる上部張り出しカバー部１３４と、上部カバー部１３２、下部カバー部１３３及び上部張り出しカバー部１３４の左右の各側縁間にそれぞれ、略三角形状に形成され、上部張り出しカバー部１３４の下方で前方に向けて突出する左右の各側部カバー部１３５とを備え、上部張り出しカバー部１３４、左右の各側部カバー部１３５、及び下部カバー部１４４の前方に向けられる各縁部間に（前方から見て）下方傾斜の開口１３６を形成される。
このようにしてホルダー本体１は、ハウジング１１の前面に化粧パネル１２が重合され、この化粧パネル１２の前面に防水カバー１３が重合されて、この防水カバー１３の各取付ボス１３１が化粧パネル１２、ハウジング１１の各ボス挿通部１２３、１１０を通されて組み立てられ、化粧パネル１２の開口部１２０の上方及び左右両側方が防水カバー１３により包囲される。
【００１６】
取付ベース７は、図２、図３に示すように、２枚のメインプレートと１枚の小さい補助プレートとからなり、上面７１１、下面７１２、前面７１３、後面７１４を有し、略箱形に形成され、かつ前面７１３下部に凹状の段差部７１５を形成される上部７１と、上部７１の下面７１２で前後方向中間部から下方に延びる中間部７２と、中間部７２の下端から後方に略逆Ｌ字形に延びる下部７３とを備え、全体としてハウジング１１内に嵌合可能な大きさ、形状に形成される。なお、上部７１、中間部７２及び下部７３の前面及び後面はそれぞれ平行で、段差部７１５の前面は上部７１の前面７１３に対して少し後方に下がった位置に、中間部７２は段差部７１５の前面に対して少し後方に下がった位置に、下部７３は中間部７２の前面に対して少し後方に下がった位置にある。この取付ベース７の上部７１には前面７１３のやや下方の片側一方にロック解除ユニット５を挿着するための穴７１０が形成される。段差部７１５には前面と後面の左右方向略中央にロック部材４１を挿通配置するための穴７０が形成される。中間部７２には略中央にコネクター保持部２を取り付けるための穴７２０が形成される。下部７３には略中央付近にコネクター正規位置検知センサー６を取り付けるための穴７３０が形成される。
【００１７】
コネクター保持部２は、図３に示すように、内径が充電コネクター（９）の給電嵌合部（９１）の外径よりも若干大きい開口２０を有する略円筒形に形成され、開口２０内が電動車両側の充電口のインレットと同様なインレット構造を有している。また、開口２０の内周面の下部には、充電コネクター（９）の給電嵌合部（９１）の下部に設けられた凸状部（９６）が係合可能に、開口２０の軸方向に向けて溝２１が前部側から後部側まで貫通して形成される。なお、このコネクター保持部２の外周面には取付用フランジ２２が併せて形成される。このコネクター保持部２は取付ベース７の中間部７２の穴７２０に挿着され、ねじにより固定される。
【００１８】
フック・コネクター係合部３は、図３に示すように、コネクター保持部２の外周面の充電コネクター（９）のフック（９３）の位置に対応する位置、この場合、コネクター保持部２の外周面の上部に形成され、フック（９３）が嵌合可能な凹部３１と、この凹部３１の前側でフック（９３）が係止可能な係止段部３２とからなる。この場合、係止段部３２は凹部３１側の後面が垂直に形成されてフック（９３）の係止面３２１をなし、上面が水平に、前面が前側から後側に向けて上方斜めに形成され、さらに、上面、前面の左右両側に小さい突状部が形成されて、これら上面及び前面がフック（９３）をフック・コネクター係合部３に案内するためのガイド面３２２をなす。
【００１９】
電気錠４は、図３に示すように、フック・コネクター係合部３の近傍でフック（９３）の先端に対向する位置に、フック・コネクター係合部３上に進退可能に配置され、フック（９３）とフック・コネクター係合部３との係合状態でフック（９３）をフック・コネクター係合部３から離脱方向への動きを規制するロック位置Ｐで押え込み可能なロック部材４１と、ロック部材４１を常態として前進方向に押圧付勢してロック部材４１をロック位置Ｐに位置決めするばね部材４２と、ロック部材４１をロック位置Ｐから後退駆動する電気作動式の駆動部４３とを備える。
ロック部材４１はフック（９３）を押え込み可能なシャフトからなり、ばね部材４２にコイルスプリングが採用され、フック・コネクター係合部３の近傍に設けられたロック部材取付部Ｐ１にロック部材４１がばね部材４２を介してフック（９３）のロック位置Ｐに進退可能に組み立てられる。この場合、ロック部材４１は電気式の駆動部４３との係合部として外周面の前後方向中間所定の位置にピン４１１が装着され、このピン４１１が上方に延ばされる。また、この場合、ロック部材取付部Ｐ１はフック・コネクター係合部３の上部後方となる取付ベース７の段差部７１５に設けられ、ロック部材４１は段差部７１５の前後の各面の穴７０に通されて軸方向を前後方向に向け水平に支持されてフック・コネクター係合部３上に進退可能に配置され、この段差部７１５の前面、後面間でロック部材４１の周囲にばね部材４２が巻装される。このようにしてロック部材４１は常態として前進方向に押圧付勢されてロック位置Ｐ、この場合、フック・コネクター係合部３の凹部３１の直上に位置決めされる。なお、ロック部材４１はプレートであってもよい。
電気作動式の駆動部４３は、ロック部材４１の周囲に配設されるソレノイド４３０と、ロック部材４１とソレノイド４３０との間にロック部材４１の進退方向に回動可能に軸支され、一端がソレノイド４３０のプランジャ４３１に枢支され、他端がロック部材４１に係合される作動レバー４３２とからなる。この場合、ソレノイド４３０はソレノイド本体がプランジャ４３１を後方に向けて取付ベース７の上部７１上面７１１で左右方向中央に固定される。作動レバー４３２は、略への字形をなす一対のレバーと、これらレバーの下部側で前方に向けられる縁部間に跨って固着される連結部とからなり、各レバーの軸支される部分は上下方向中央よりも上部側に寄った適宜の位置に設けられ、軸支部を境に上部側が短く、下部側が長くなっている。この作動レバー４３２は取付ベース７の上部７１後面７１４にソレノイド４３０のプランジャ４３１の直下となる位置に支持ブラケット４３３を介して軸支される。この作動レバー４３２の上部側の一端はソレノイド４３０のプランジャ４３１の先端に枢支され、下部側の他端がロック部材４１の係合部（ピン４１１）に前側から当接される。このようにして取付ベース７の上部７１にソレノイド４３０（プランジャ４３１）と、作動レバー４３２と、ロック部材４１が略Ｚ形に配置され、ばね部材４２の付勢力によりフック（９３）のロック位置Ｐに位置決めされたロック部材４１に対して作動連結されて、ソレノイド４３０の通電によりプランジャ４３１を吸引することにより作動レバー４３２をロック部材４１の後退方向に回動しロック部材４１を後退させる。
【００２０】
非常用のロック解除ユニット５は、図３に示すように、コネクター保持部２と並列に併設される。このロック解除ユニット５は、一端の鍵穴５０に鍵を挿入してローター５１を回転する形式のシリンダー錠５２と、ローター５１に取り付けられ、ローター５１の回転に連動して電気作動式の駆動部４３の作動レバー４３２に係脱可能なロック解除レバー  ５３とからなる。この場合、ロック解除レバー５３は先端が鉤形に曲げられた全体が略Ｌ字形のレバーで、ローター５１の後部にローター５１の軸方向に対して直角に取り付けられる。このロック解除ユニット５は、シリンダー錠５２が取付ベース７の上部７１前面７１３の穴７１０に挿着され、ローター５１の鍵穴５０に挿入される鍵の操作により、後部のロック解除レバー５３は、電気作動式の駆動部４３の作動レバー４３２に係合（接触）せず、ロック部材４１によるフック（９３）のロック状態を維持するロック位置、この場合、ロック解除レバー５３が縦向きの状態と、作動レバー４３２に係合（接触）し、この作動レバー４３２をロック部材４１が後退される方向に押圧回動して、ロック部材４１によるフックのロック状態を解除するロック解除位置、この場合、ロック解除レバー５３が横向きの状態との間で回動される。
【００２１】
コネクター正規位置検知センサー６は、図３に示すように、コネクター保持部２の内部で充電コネクター（９）の給電嵌合部（９１）の先端を到達させる正規の挿入位置Ｐ２に当該正規の挿入位置Ｐ２から充電コネクター（９）の挿入方向とは反対方向の所定の範囲に設定した検出開始点Ｐ３まで進退可能に配置され、コネクター保持部２に挿入される給電嵌合部（９１）の縁部で押圧可能な検出部材６１と、検出部材６１の後部側に配設され、検出部材６１を常態として充電コネクター（９）の挿入方向とは反対方向に押圧付勢して検出開始点Ｐ３に位置決めするばね部材６２と、給電嵌合部（９１）のコネクター保持部２への挿入により給電嵌合部（９１）の縁部で検出部材６１が正規の挿入位置Ｐ２まで押圧され、検出部材６１の変位により作動されるマイクロスイッチ６３とを備える。
この場合、コネクター保持部２下部の溝２１は充電コネクター（９）の正規の挿入位置Ｐ２の少し前側の位置から後部側が下面を開口された中空部２１０になっていて、この中空部２１０に検出部材６１が配置される。この検出部材６１は中空部２１０に配置可能な大きさの一対のプレートからなる。この一対のプレートは前端で連結され、各プレートには、前端に溝２１内に挿入可能な凸起６１１、下端にマイクロスイッチ６３に係合可能な凸状部６１２、後端下部に下端の凸状部６１２との間に所定の間隔Ｓをおいてこの凸状部６１２よりも下方に突出される突出部６１３がそれぞれ形成される。また、各プレートの略中央には前後方向に長い長穴６１４が形成される。この検出部材６１は中空部２１０に配置され、この中空部２１０内の両側面間に架け渡される軸６１５が各プレートの長穴６１４に通されて支持され、前端の凸起６１１のみが溝２１内に挿入されて溝２１上を進退可能になっている。したがって、この凸起６１１の溝２１内への挿入先端位置は充電コネクター（９）の正規の挿入位置Ｐ２よりも前方となり、これが充電コネクター（９）の検出開始点Ｐ３となる。このようにして検出部材６１が中空部２１０内に前端の凸起６１１が溝２１上を充電コネクター（９）の正規の挿入位置Ｐ２と検出開始点Ｐ３との間で進退可能に配置される。ばね部材６２にはコイルスプリングが採用され、このばね部材６２が検出部材６１の後部と中空部２１０の後部との間に介装され、検出部材６１前端を常態として充電コネクターの挿入方向とは反対方向に押圧付勢して検出開始点Ｐ３に位置決めする。マイクロスイッチ６３は上部にプランジャピン６３１とレバー６３２を備え、プランジャピン６３１をレバー６３２でプッシュすることでスイッチをオン・オフする構成の一般的なマイクロスイッチが採用され、このマイクロスイッチ６３は取付ベース７の下部７３の穴７３０に取り付けられて、検出部材６１の下方に配置され、マイクロスイッチ６３のレバー６３２端が検出部材６１の後部下端の突出部６１３と下端の凸状部６１２との間（所定の間隔Ｓ）に係合される。コネクター正規位置検知センサー６はこのような構成からなり、充電コネクター（９）の給電嵌合部（９１）がコネクター保持部２に挿入され、給電嵌合部（９１）の縁部で検出部材６１が正規の挿入位置Ｐ２まで押圧されると、この検出部材６１の変位により、検出部材６１下端の凸状部６１２がマイクロスイッチ６３のレバー６３２を上から押圧し、このレバー６３２によりプランジャピン６３１が押下されて、マイクロスイッチ６３が作動される。すなわち、マイクロスイッチ６３から検知信号が出力され、充電コネクター（９）が正規の挿入位置Ｐ２まで挿入された状態が検知される。
【００２２】
このようにしてホルダーＨの各部が構成され、図１乃至図３に示すように、コネクター保持部２、フック・コネクター係合部３、ロック部材４１は共通の取付ベース７上に組み立てられて、ハウジング１１内に取付ベース７の上部７１、中間部７２、下部７３の各前面がハウジング１１の後面と平行に、すなわち、各機能部の前面がハウジング１１の開口１０に対して下方斜めに向けて組み込まれる。そして、ハウジング１１の前面に化粧パネル１２が防水カバー１３とともに取り付けられ、ハウジング１１の開口１０を覆う化粧パネル１２の略茄子形に開口され、下方傾斜で手前から奥側に向けて漸次狭められる略テーパー状の凹部１２１の奥側面に形成された開口部１２０内にコネクター保持部２、フック・コネクター係合部３が配置され、この開口部１２０の奥にロック部材４１が配置され、この開口部１２０が防水カバー１３の上部から前方に向けて斜め下方に張り出す上部張り出しカバー部１３４と、左右両側から前方に向けて突出する各側部カバー部１３５とにより包囲される。なお、このホルダー本体１の低位置には水抜き穴が形成される。
このホルダーＨは充電装置の外装パネルに埋設して装着される。この場合、充電装置の外装パネルに取り付け用の開口とハウジング１１の各ボス挿通部１１０に対応するねじ挿通穴を形成され、このホルダーＨは、ハウジング１１が外装パネルの開口内に嵌め込まれ、ハウジング１１周囲のフランジ１１１がパッキンを介して開口の回りに当接され、この状態で、外装パネルの内側から各ねじ挿通穴に取付ねじが通され、防水カバー１３の各取付ボス１３１のねじ穴に締結されて外装パネルに取り付けられる。
また、このホルダーＨは電気作動式の駆動部４３（のソレノイド４３０）、コネクター正規位置検知センサー６（のマイクロスイッチ６３）が、ユーザー側で任意に採用されるコントローラー（制御手段）に電気的に接続されて、このコントローラーから電気作動式の駆動部４３に電気信号が送られ、コネクター正規位置検知センサー６（マイクロスイッチ６３）から検知信号がこのコントローラーに送られるようになっている。なお、ここでは、コントローラー側で、接触式又は非接触式のＩＣカードなどをカードリーダーで読み取り、又はスマートフォンなどの携帯端末の機能を用いて、電気信号を電気作動式の駆動部４３に送るものとし、また、コネクター正規位置検知センサー６から送られる検知信号はこのコントローラーに設けられた表示手段から画像情報や音声情報として出力されるものとしてある。
【００２３】
図４乃至図９にこの充電コネクター用ホルダーＨの使用例とその機能を示している。
まず、充電コネクター９をこのホルダーＨに保持する場合、図４に示すように、充電コネクター９の給電嵌合部９１をコネクター保持部２に合わせるとともに、フック９３とフック・コネクター係合部３とを対応させて、充電コネクター９を、フック９３でロック部材４１をばね部材４２の付勢力に抗して押し込みながら、コネクター保持部２に押し込み挿入する。これにより、図５に示すように、充電コネクター９の給電嵌合部９１がコネクター保持部２に接続され、フック９３とフック・コネクター係合部３が係合されて、充電コネクター９がホルダーＨに保持される。そして、フック・コネクター係合部３とフック９３が係合すると同時に、ロック部材４１がばね部材４２の付勢力によりロック位置Ｐに、すなわち、フック・コネクター係合部３とフック９３との係合位置の直上に弾性復帰し、このロック部材４１によりフック・コネクター係合部３と係合状態のフック９３が自動的に押え込みロックされる。これにより、フック９３は離脱方向の動きを規制され、充電コネクター９の解除ボタン９５を操作しても、フック９３をフック・コネクター係合部３から外すことができず、充電コネクター９は完全に施錠される。
また、このとき、充電コネクター９の給電嵌合部９１がホルダーＨのコネクター保持部２に正規の挿入位置Ｐ２まで挿入され、給電嵌合部の縁部でコネクター保持部２内の検出部材６１が正規の挿入位置Ｐ２まで押圧されると、この検出部材６１の変位により、検出部材６１下端の凸状部６１２がマイクロスイッチ６３のレバー６３２を上から押圧し、このレバー６３２によりプランジャピン６３１が押下されて、マイクロスイッチ６３が作動される。これにより、マイクロスイッチ６３から検知信号が出力され、コントローラーに送られて、これがコントローラーの表示手段から画像情報や音声情報として出力される。このようにして充電コネクター９が正規の挿入位置Ｐ２まで挿入された状態が検知される。なお、この検知情報が出力されない場合、ユーザーは、充電コネクター９をホルダーＨに再度押し込めばよく、充電コネクター９が正規の挿入位置Ｐ２まで挿入されれば、コントローラーの表示手段から検知情報が出力される。
次に、充電コネクター９とこのホルダーＨとのロック状態を解除する場合、コントローラー側で、接触式又は非接触式のＩＣカードなどをカードリーダーで読み取り、又はスマートフォンなどの携帯端末の機能を用いて、ソレノイド４３０に電気信号を送る。これにより、図６に示すように、ソレノイド４３０が通電されて、プランジャ４３１がソレノイド本体内に吸引され、プランジャ４３１の先端に上部の一端が枢支された作動レハー４３２が軸を回動中心としてロック部材４１の後退方向に回動し、下部の他端がロック部材４１をピン４１１を介して後退方向に押圧し、ロック部材１４がロック位置Ｐ、すなわち、フック・コネクター係合部３とフック９３との係合位置の直上から後退し、フック９３のロックが解除される。
そして、充電コネクター９をこのホルダーＨから取り外す場合、図７に示すように、充電コネクター９の解除ボタン９５を押下してフック９３をフック・コネクター係合部３から離脱し、この状態から充電コネクター９をホルダーＨから引き抜けばよい。なお、ホルダーＨから充電コネクター９が引き抜かれると、コネクター保持部２内の検出部材６１はばね部材６２の付勢力により検出開始点Ｐ３まで弾性復帰される。
非常用のロック解除ユニット５は非常時に使用される。図８に示すように、このロック解除ユニット５は常態として、後部のロック解除レバー５３が縦向きの状態で、電気作動式の駆動部４３の作動レバー４３２に係合（接触）せず、ロック部材４１によるフック９３のロック状態を維持するロック位置になっている。そして、非常時の使用の場合、図９に示すように、シリンダー錠５２の鍵穴５０に所定の鍵５Ｋを差し込み、ロック位置からロック解除位置に回転すると、ローター５１の回転によりロック解除レバー５３が電気式の駆動部４３の作動レバー４３２に向けて回動されて作動レバー４３２に接触し、この作動レバー４３２をロック部材４１が後退される方向に押圧回動して、ロック部材４１がロック位置Ｐから徐々に後退され、ロック解除レバー５３が横向きの状態のロック解除位置で、ロック部材４１がロック位置Ｐから完全に後退される。これにより、ロック部材４１によるフック９３のロック状態が解除される。なお、この逆の操作で、ロック部材４１がロック位置Ｐに弾性復帰して、フック９３のロック状態に戻される。
【００２４】
以上説明したように、このホルダーＨによれば、充電コネクター９の給電嵌合部９１をコネクター保持部２に合わせるとともに、フック９３とフック・コネクター係合部３とを対応させて、充電コネクター９を、フック９３でロック部材４１をばね部材４２の付勢力に抗して押し込みながら、コネクター保持部２に押し込み挿入することにより、充電コネクター９の給電嵌合部９１をコネクター保持部２に接続し、フック９３とフック・コネクター係合部３とを係合させるとともに、フック９３をロック位置Ｐに弾性復帰されるロック部材４により押え込みロックするようにしたので、充電コネクター９をこのホルダーＨに挿入し押し込むだけの通常の操作で、充電コネクター９をこのホルダーＨに保持し、この保持した状態を自動的にロックすることができ、不特定多数のユーザーが利用する給電ステーションの充電装置や多くのユーザーに利用されるマンション駐車場の充電装置などでの使用に最適な錠形式で、充電コネクター９をこのホルダーＨに保持した状態を確実かつ簡易にロック（施錠）することができる。
また、任意のコントローラーにより電気作動式の駆動部４３に電気信号を送ることにより当該駆動部４３を作動させて、ロック部材４１をロック位置Ｐから後退し、フック９３のロックを解除するようにしたので、例えば、コントローラー側に、接触式又は非接触式のＩＣカードなどをカードリーダーで読み取ることで、又はスマートフォンなどの携帯端末の機能を用いて、電気信号を電気作動式の駆動部４３に送るようにすることにより、接触式又は非接触式のＩＣカードやスマートフォンなどを用いた簡単な操作で、充電コネクターとこのホルダーＨとのロック状態を自動的に解除することができ、不特定多数のユーザーが利用する給電ステーションの充電装置や多くのユーザーに利用されるマンション駐車場の充電装置などでの使用に最適な錠形式で、充電コネクター９とこのホルダーＨとのロック状態を確実かつ簡便に解除（解錠）することができ、また、接触式又は非接触式のＩＣカードやスマートフォンなどを用いることで、この錠形式を充電装置に課金システムを導入する場合に併用することができる。
【００２５】
また、このホルダーＨでは、さらに次のような利点を有する。
（１）ロック部材４１はフック９３を押え込み可能なシャフト又はプレートからなり、ばね部材４２にコイルスプリングが採用され、フック・コネクター係合部３の近傍に設けられたロック部材取付部Ｐ１にロック部材４１がばね部材４２を介してフック９３のロック位置Ｐに進退可能に組み立てられ、また、電気作動式の駆動部４３は、ロック部材４１の周囲に配設されるソレノイド４３０と、ロック部材４１とソレノイド４３０との間に軸支され、一端がソレノイド４３０のプランジャ４３１に枢支され、他端がロック部材４１に係合される作動レバー４３２とからなり、ばね部材４２の付勢力によりフック９３のロック位置Ｐに位置決めされるロック部材４１に対して作動連結されて、ソレノイド４３０の通電によりプランジャ４３１を吸引することにより作動レバー４３２をロック部材４１の後退方向に回動し、ロック部材４１を後退させるようにしたので、簡単な構造で確実なロック、ロック解除動作を得ることができ、また、簡単な構造によりコストの低減を図ることができる。
また、かかる構造により、図４に示す充電コネクター９のようなフック９３の先端が傾斜面になっている場合、ロック部材４１をフック９３の先端傾斜面の先の平坦な上面まで到達させる必要があるところ、ソレノイド４３０のプランジャ４３１の小さなストロークでも、ロック部材４１をフック９３の上面まで到達させることができ、ソレノイド４３０を有効に活用することができる。
（２）非常用のロック解除ユニット５をコネクター保持部２と並列に併設し、このロック解除ユニット５を、一端の鍵穴５０に鍵５Ｋを挿入してローター５を回転する形式のシリンダー錠５２と、ローター５１に取り付けられ、ローター５の回転に連動して電気作動式の駆動部４３の作動レバー４３２に係脱可能なロック解除レバー５３とにより構成し、ロック解除レバー５３が電気作動式の駆動部４３の作動レバー４３２に係合せず、ロック部材４１によるフック９３のロック状態を維持するロック位置と、ロック解除レバー５３が作動レバー４３２に係合し、作動レバー４３２をロック部材４１が後退される方向に押圧回動して、ロック部材４１によるフック９３のロック状態を解除するロック解除位置との間で回動するようにしたので、コントローラーや電気式の駆動部４３のトラブルなどにより、ロック解除できないような非常の場合に、所定の鍵５Ｋの簡単な操作により、ロック部材４１によるフック９３のロック状態を解除することができる。また、かかるロック解除ユニット５の簡単な構造により、コストの低減に図ることができる。
（３）コネクター保持部２に充電コネクター９の給電嵌合部９１が正規の位置Ｐ２に挿入された状態を検知するコネクター正規位置検知センサー６をコネクター保持部２に近傍に併せて備え、このセンサー６を、コネクター保持部２の内部で充電コネクター９の給電嵌合部９１の先端を到達させる正規の挿入位置Ｐ２にこの正規の挿入位置Ｐ２から充電コネクター９の挿入方向とは反対方向の所定の範囲に設定した検出開始点Ｐ３まで進退可能に配置され、コネクター保持部２に挿入される給電嵌合部９１の縁部で押圧可能な検出部材６１と、検出部材６１の後部側に配設され、検出部材６１を常態として充電コネクター９の挿入方向とは反対方向に押圧付勢して検出開始点Ｐ３に位置決めするばね部材６２と、給電嵌合部９１のコネクター保持部２への挿入により給電嵌合部９１の縁部で検出部材６１が正規の挿入位置Ｐ２まで押圧され、検出部材６１の変位により作動されるマイクロスイッチ６３とにより構成したので、簡単な構造で充電コネクターのホルダーＨへの確実な挿入状態を実現することができ、また、簡単な構造によりコストの低減に図ることができる。
（４）コネクター保持部２、フック・コネクター係合部３、ロック部材４１は共通の取付ベース７上に組み立てられて、ハウジング１１内に各機能部の前面がハウジング１１の開口１０に対して下方斜めに向けて組み込まれ、ハウジング１１の前面に化粧パネル１２が防水カバー１３とともに取り付けられ、ハウジング１１の開口１０を覆う化粧パネル１２に略茄子形に開口されて略テーパー状の凹部１２１の奥側面に形成された開口部１２０内にコネクター保持部２、フック・コネクター係合部３が配置され、この開口部１２０の奥にロック部材４１が配置され、この開口部１２０が防水カバー１３の上部から前方に向けて斜め下方に張り出す上部張り出しカバー部１３４と、左右両側から前方に向けて突出する各側部カバー部１３５とにより包囲されるので、開口部１２０を通して雨が入りにくく雨を受けにくい構造とし、また、開口部１２０下部に付着する雨水は略茄子形のテーパー面から外部に流すことができ、さらに、ホルダー本体１内に雨水が入り、各機能部に付着した場合でも、各機能部が前側に斜めになっていることで、水を下方に落とし低位置の水抜き穴から排出することができる。
【符号の説明】
【００２６】
Ｈ  充電コネクター用ホルダー
１  ホルダー本体
１０  開口
１１  ハウジング
１１０  ボス挿通部
１１１  フランジ
１２  化粧パネル（化粧板）
１２０Ｂ  開口
１２０  開口部
１２１  凹部
１２２  溝
１２３  ボス挿通部
１２４  開口
１３  防水カバー
１３１  取付ボス
１３２  上部カバー部
１３３  下部カバー部
１３４  上部張り出しカバー部
１３５  側部カバー部
１３６  開口
２  コネクター保持部
２０  開口
２１  溝
２１０  中空部
２２  取付用フランジ
３  フック・コネクター係合部
３１  凹部
３２  係止段部
３２１  係止面
３２２  ガイド面
４  電気錠
４１  ロック部材
４１１  ピン
４２  ばね部材
４３  電気作動式の駆動部
４３０  ソレノイド
４３１  プランジャ
４３２  作動レバー
４３３  支持ブラケット
Ｐ  ロック位置
Ｐ１  ロック部材取付部
５  非常用のロック解除ユニット
５Ｋ  鍵
５０  鍵穴
５１  ローター
５２  シリンダー錠
５３  ロック解除レバー
６  コネクター正規位置検知センサー
６１  検出部材
６１１  凸起
６１２  凸状部
６１３  突出部
６１４  長穴
６１５  軸
Ｓ  間隔
６２  ばね部材
６３  マイクロスイッチ
６３１  プランジャピン
６３２  レバー
Ｐ２  正規の挿入位置
Ｐ３  検出開始点
７  取付ベース
７１  上部
７１０  穴
７１１  上面
７１２  下面
７１３  前面
７１４  後面
７１５  段差部
７０  穴
７２  中間部
７２０  穴
７３  下部
７３０  穴
【図１】
2015119518.tif 000003
【図２】
2015119518.tif 000004
【図３】
2015119518.tif 000005
【図４】
2015119518.tif 000006
【図５】
2015119518.tif 000007
【図６】
2015119518.tif 000008
【図７】
2015119518.tif 000009
【図８】
2015119518.tif 000010
【図９】
2015119518.tif 000011
【図１０】
2015119518.tif 000012